(57)【要約】【課題】簡便な操作で容易かつスムーズに詰替作業を行うことができ、キャップ部品の紛失や汚染、部品増加によるコスト高を防ぐことが可能な内容物充填機構の提供。さらに、注入作業中にディスペンサー容器の注入口から詰替品容器の注出口が外れることなく、効率的に内容物を注入可能な内容物充填機構の提供。【解決手段】ディスペンサー容器に詰替品容器から内容物を注入するための内容物充填機構であって、ディスペンサー容器を容器本体、その開口部に装着された肩カバーおよび当該肩カバーに装着されたディスペンサー装置により構成し、前記肩カバーの一部に、詰替品容器の注出口を挿入、好ましくはさらに取り付け可能な注入口と、通気孔を設けるとともに、前記注入口および通気孔を同時に封止可能な蓋部を、ヒンジ部を介して開閉自在に前記肩カバーに設けたことを特徴とする内容物充填機構。【選択図】  図１
2012106749.tif 000002
【特許請求の範囲】
【請求項１】
ディスペンサー容器に詰替品容器から内容物を注入するための内容物充填機構であって、ディスペンサー容器を容器本体、その開口部に装着された肩カバーおよび当該肩カバーに装着されたディスペンサー装置により構成し、前記肩カバーの一部に、詰替品容器の注出口を挿入可能な注入口と、通気孔を設けるとともに、前記注入口および通気孔を同時に封止可能な蓋部を、ヒンジ部を介して開閉自在に前記肩カバーに設けたことを特徴とする内容物充填機構。
【請求項２】
前記肩カバーの注入口と、前記詰替品容器の注出口とが、互いに取り付け可能な構造であることを特徴とする請求項１に記載の内容物充填機構。
【請求項３】
前記肩カバーの注入口の周縁部には切り欠き部が形成され、前記詰替品容器の注出口の外周面には前記切り欠き部に挿入可能な突起部が形成されており、該注出口が該注入口に回転自在に取り付け可能であることを特徴とする請求項１または請求項２に記載の内容物充填機構。
【請求項４】
前記切り欠き部と前記突起部が互いに対応関係にある位置に形成されていることを特徴とする請求項３に記載の内容物充填機構。
【請求項５】
前記突起部が前記注出口の外周面に複数箇所、等間隔で形成されていることを特徴とする請求項３または請求項４に記載の内容物充填機構。
【請求項６】
前記注出口の先端部分が軸方向に延設してその外周面に突起部を有さない円筒形状に形成され、該外周面と前記注入口の内周面との間に摩擦抵抗が生じるように前記注入口の内寸が形成されていることを特徴とする請求項２に記載の内容物充填機構。
【請求項７】
前記蓋部の裏面には、前記注入口と前記通気孔に嵌合可能な凸部が形成されていることを特徴とする請求項１ないし請求項６のいずれか１項に記載の内容物充填機構。
【発明の詳細な説明】
【技術分野】
【０００１】
本発明は、ディスペンサー容器に詰替品容器から内容物を注入するための内容物充填機構に関する。
【背景技術】
【０００２】
従来より、シャンプー、リンス、ボディソープ、化粧水、乳液などの液状の内容物の容器であって、ポンプなどディスペンサー機能により内容物を吐出するいわゆるディスペンサー容器には、内容物の補充・詰替が可能とされているものがある。そして、かかる補充・詰替作業に関しては、容器本体の口頸部よりポンプ部を取り外し、詰替用の内容物を充填した詰替品容器から、かかる口頸部へと直接内容物を注入することが行われている。
【０００３】
しかし、この方法によると、ポンプの取り外し及び注入後の取り付け作業が繁雑であり、また、取り外したポンプの置き場所がなかったり、ポンプの吸上げ管から内溶液が垂れて周りが汚れるなどの問題があった。そこで、特許文献１には、ポンプを取り付ける口頸部の他に、詰替専用の第二口頸部を設け、この第二口頸部から内容物を補充・詰替を行うことにより、ポンプの取り外し作業を不要とした液体注出容器が開示されている。
【０００４】
上記発明によれば、ポンプを取り外すことによる煩雑さや汚れの問題は解消するが、第二口頸部を封止するキャップが螺合式であるため詰替時のキャップの開け閉めに依然として時間がかかること、また、外したキャップを置いた場所の汚れによりキャップが汚染されてしまう場合があることから、煩雑さや汚れの問題の解消が十分とはいえなかった。加えて、螺合式のキャップは詰替作業時に紛失してしまう可能性があり、また、部品点数が増えることによる製造コストの増加にもつながっていた。さらに、注入用の口頸部はポンプを取り付けるための口頸部とは別に容器上部に設ける必要があり、その位置的な制約により、注入口の径を小さくし、これを容器上部から突出させざるを得ない。そうすると、詰替品容器から容器本体へ内容物を補充・詰替する際に、注入口から詰替品容器の注出口が外れて内容物が外に液だれしたり、また、注入口が小さいために、粘度の高い液状の内容物を注入する際に容器本体から空気が抜けず、スムーズに内容物の注入ができないことがあった。
【０００５】
【特許文献１】実開平６−３８５７
【発明の開示】
【発明が解決しようとする課題】
【０００６】
そこで本発明は、従来の内容物充填機構のかかる欠点を克服し、簡便な操作で容易かつスムーズに詰替作業を行うことができ、キャップ部品の紛失や汚染、部品増加によるコスト高を防ぐことが可能な内容物充填機構の提供を、さらに、注入作業中にディスペンサー容器の注入口から詰替品容器の注出口が外れることなく、効率的に内容物を注入可能な内容物充填機構の提供を、その課題とするものである。
【課題を解決するための手段】
【０００７】
本発明は、上記課題を解決するものであり、ディスペンサー容器に詰替品容器から内容物を注入するための内容物充填機構であって、ディスペンサー容器を容器本体、その開口部に装着された肩カバーおよび当該肩カバーに装着されたディスペンサー装置により構成し、前記肩カバーの一部に、詰替品容器の注出口を挿入、好ましくはさらに取り付け可能な注入口と、通気孔を設けるとともに、前記注入口および通気孔を同時に封止可能な蓋部を、ヒンジ部を介して開閉自在に肩カバーに設けたことを特徴とする内容物充填機構である。
【発明の効果】
【０００８】
本発明にかかる内容物充填機構は、ディスペンサー容器の肩カバーに、ディスペンサー装置に加えて、ヒンジ部により開閉自在に取り付けられた蓋部、詰替内容物の注入口および通気孔を設け、前記注入口および前記通気口を同時に前記蓋部で封止可能な構造とすることにより、指等で蓋部を開ける一度の操作で容易に詰替作業を開始することができ、詰替作業時は通気孔により詰替時の注入作業をスムーズに行うことができ、さらに詰替作業終了後は、蓋部を押す一度の操作で簡便に前記注入口と前記通気口を封止することができるものである。また、キャップを別部材とすることによる部品点数の増加を防ぐことができ、詰替作業時に外したキャップを他の場所に載置することによる汚染や紛失を防ぐことができる。特に、ディスペンサー容器の肩カバーに設けた前記注入口と、詰替品容器の注出口とを、係合構造により取り付け可能なものとすれば、詰替時の液だれによる内容物量のロスや、詰替作業後に詰替品容器中に内容物が過度に残留することを防止できる。
【図面の簡単な説明】
【０００９】
【図１】本発明にかかる内容物充填機構を備えたディスペンサー容器の斜視図
【図２】本発明にかかる内容物充填機構を備えたディスペンサー容器の平面図
【図３】本発明にかかる内容物充填機構を備えた詰替品容器の部分斜視図
【図４】本発明にかかる内容物充填機構を備えたディスペンサー容器の注入口に詰替品容器の注出口を挿入した状態の断面図
【図５】別の実施態様のディスペンサー容器の注入口に詰替品容器の注出口を挿入した状態の断面図
【図６】他の実施態様の内容物充填機構を備えたディスペンサー容器の上部斜視図
【発明を実施するための形態】
【００１０】
以下、本発明の内容物充填機構の実施態様を、図面に基づいて具体的に説明する。なお、本発明はこれら実施態様に何ら制約されるものではない。
【００１１】
図１は本発明にかかる内容物充填機構を備えたディスペンサー容器の斜視図、図２は同平面図、図３は本発明にかかる内容物充填機構を備えた詰替品容器である。図中、１はディスペンサー容器、２は肩カバー、３はポンプ（ディスペンサー装置）、４は詰替品容器、５は容器本体、２１は注入口、２２は通気孔、２３は蓋部、２４は係止凹部、３１は押圧ヘッド、３２はノズル、４１は注出口、４２は突起部、２１１は周縁部、２１２は切り欠き部、２３１はヒンジ部、２３２は係止爪をそれぞれ示す。
【００１２】
本発明の内容物充填機構は、ディスペンサー容器１に装着された肩カバー２に形成された注入口２１、通気孔２２、蓋部２３および、注入口２１に取り付け可能な詰替品容器４の注出口４１から構成される。図１に示すように、ディスペンサー容器１は、容器本体５、肩カバー２およびディスペンサー装置として肩カバー２に装着されたポンプ３から構成され、広口円筒形状の容器本体５の開口部に有天筒状の肩カバー２が螺合されている。かかる肩カバー２の上面中央部には、押圧ヘッド３１を押すことにより内容物をノズル３２より吐出させるポンプ３が設けられている。かかるポンプ３の横には、ディスペンサー容器１内に通じる注入口２１および通気孔２２が形成されており、これら注入口２１および通気孔２２とポンプ部３の間には、蓋部２３がヒンジ部２３１を介して開閉自在に肩カバー２に設けられている。
【００１３】
本発明の内容物充填機構を備える詰替品容器４は、以下に述べる注出口を備えたものであれば、内容物を収容する本体部分は小袋タイプ、硬質ボトルタイプ、軟質ボトルタイプ、チューブタイプ、パウチ容器タイプなど種々の形態のものを適宜利用できる。本実施態様の詰替品容器４は、図３に示すように、先端部分の外周面に突起部４２が形成された円筒形状の注出口４１を有している。かかる突起部４２は、注入口２１に注出口４１を取り付ける際、注入口２１に形成された切り欠き部２１２に対応する位置に設けられている。
【００１４】
図２に示すように、注入口２１は、肩カバー２の上面に詰替品容器４の注出口４１の先端部分が挿入可能な円形状に開口されている。そして、本実施態様では、その周縁部２１１の一部を切り欠いて切り欠き部２１２が形成されており、注出口４１の外周面に形成された突起部４２が挿入可能なように、その位置が突起部４２の配置に対応している。
【００１５】
図４に示すように、周縁部２１１の下部には溝部２１３が注入口２１の内周面に環状に形成されており、切り欠き部２１２より挿入された突起部４２は、この溝部２１３内に収容される。そして、注出口４１は突起部４２が溝部２１３内に収容された状態で左右に回転自在となっている。
【００１６】
本実施態様の内容物充填機構では、まず指等を用いて、ヒンジ部２３１を支点として蓋部２３を開け、肩カバー２に設けられた注入口２１および通気孔２２を露出させる。その後、注入口２１へ注出口４１を取り付けて、ディスペンサー容器１に内容物を注入するが、この時取り付け部分が気密状態であっても、通気孔２２を通じて容器内から空気が抜けるため、たとえ粘度の高い内容物を注入する時でも、注入作業をスムーズに行うことができる。
【００１７】
注入口２１への注出口４１の取り付け・取り外し作業は以下の通りである。まず、注出口４１の取り付けは、詰替品容器４の向きを調整して突起部４２と切り欠き部２１２の位置合わせを行い、突起部４２が切り欠き部２１２に挿入可能な位置まで来たらそのまま注出口４１を注入口２１内に挿入する。そして、突起部４２を溝部２１３内に収容した後、左右いずれかに注出口４１を回転させ、突起部４２を切り欠き部２１２が形成されていない周縁部２１１の下の溝部２１３内に配置する。その結果、注出口４１を引き抜こうとしても突起部４２と周縁部２１１とが互いに干渉することとなり、注出口４１が注入口２１から外れなくなる。次に、注出口４１の取り外しは、注出口４１を再び回転させて突起部４２と切り欠き部２１２の位置合わせを行い、突起部４２が切り欠き部２１２の部分に来たらそのまま注出口４１を注入口２１内より引き抜けばよい。このように注出口４１を注入口２１に対して取り付け可能とすることにより、注入時に手元が狂って内容物が外に漏れてしまったり、注入中に注出口４１が誤って外れて液だれをおこすおそれもない。
【００１８】
突起部４２の位置・形状・大きさは、切り欠き部２１２に挿入可能であり、注出口４１の取り付け・取り外しに支障がなければ特に制限はないが、注出口４１の取り付け作業がより簡便になるよう、注出口４１の外周面に複数箇所、好ましくは２〜４箇所で等間隔に形成するのが好ましい。これに対し、切り欠き部２１２は突起部４２を挿入可能な位置・形状・大きさに形成し、両者が対応関係にあることが好ましいが、必ずしもこれに限らず、たとえば、突起部４２を２箇所設けた場合、凹部２１２を４箇所としてもよい。
【００１９】
注入作業の終了後は、肩カバー２の注入口２１より詰替品容器４の注出口４１を取り外し、指等で蓋部２３の一部を押して係止爪２３２と係止凹部２４を係合させれば、注入口２１だけでなく通気孔２２も同時に封止することができ、簡便である。
【００２０】
図５は、本発明において、上述のような切り欠き部２１２および突起部４２を設けていない実施態様である。すなわち、注出口４１の先端部分を軸方向に延設してその外周面に突起部を有さない円筒形状とし、先端からより深い部位まで注入口２１内に挿入可能となっている。このように、注出口４１をより深く注入口２１内に挿入することで、注入時に誤って注出口４１が外れることを防ぐことができる。さらに、取り付け・取り外し時に、注出口４１の外周面と注入口２１の内周面との間に摩擦抵抗が生じるように、注出口４１の外寸と注入口２１の内寸を設定すると、両者の結合がより確実となり、安定な取り付け状態となって好ましい。なお、かかる注出口４１の先端部分の長さは任意に設定することができるが、２ｍｍ〜１５ｍｍの範囲で形成することが好ましい。
【００２１】
このように、肩カバー２に設けた注入口２１と、詰替品容器４の注出口４１とを互いに取り付け可能な構造とすることにより、詰替時の液だれによる内容物量のロスや、詰替作業後に詰替品容器中に内容物が過度に残留することを防止でき、好ましいが、このような構造としては上記２実施態様の他にも、簡単な螺子構造や、比較的柔軟な素材を用いたアンダーカット嵌合構造による取り付け等でも良い。ただし、取り付け、取り外しの簡便性、取り付けの確実性の点において、前記実施態様の注入口２１周縁部の切り欠き部２１２と溝部２１３、および注出口４１外周面の突起部４２により注出口４１が注入口２１に回転自在に取り付けられる構造が特に好ましい。
【００２２】
なお、注入口２１の横に設けられた通気孔２２は、本実施態様ではポンプ側から見て波頭形に形成され、さらにフレーム２２１が設けられているが、通気孔２２の形状・大きさ・仕様はこれに限らず、注入口２１から内容物を注入するときに容器本体内の空気が抜ければよい。
【００２３】
注入口２１および通気孔２２とポンプ３の間に設けられた蓋部２３は、注入口２１および通気孔２２を覆うに十分な形状・寸法に形成された板状の部材であり、容器の通常使用時・保管時においては肩カバー２上に密着した状態で閉じられることにより、注入口２１および通気孔２２を封止している。閉時には、蓋部２３はその先端に形成されている係止爪２３２が、肩カバー２の側面に形成された係止凹部２４と互いに係合することにより、肩カバー２上に密着固定される。そして、内容物を補充・詰替する際に、ヒンジ部２３１部分を支点として肩カバー２上に倒立させることにより蓋部２３が開いた状態となって、注入口２１および通気孔２２が外部に露出する。かかる蓋部２３は、肩カバー２と一体成形されており、部品の点数を抑えることができ、ヒンジ部２３１によって繋がっているために蓋部２３の紛失のおそれもない。
【００２４】
本実施態様の蓋部２３は１枚の板状部材からなるが、例えば図６のように蓋部２３の裏面に、注入口２１の開口に嵌合するように凸部６を形成してもよく、さらに注入口２１および通気孔２２の両者の開口に嵌合する凸部などを設けてもよい。かかる凸部により、蓋部２３を閉じたときの注入口２１および通気孔２２の密閉度がより高まり、浴室等においても水が混入しにくくなるため、好ましい。
【００２５】
本実施態様の蓋部２３の材質は合成樹脂が好ましく、基本的に肩カバー２と同一材質で一体に成形したものが好ましい。一体成形しやすい合成樹脂として具体的には、ポリプロピレン（ＰＰ）、ポリエチレン（ＰＥ）等の熱可塑性の樹脂が挙げられるが、とりわけポリプロピレンを好適に使用することができる。
【００２６】
本発明において、ディスペンサー装置としてはポンプに限定されず、例えば泡吐出ポンプ、噴霧装置などでもよい。
【００２７】
本発明にかかる内容物充填機構を備えたディスペンサー容器および詰替品容器は、詰替注入口用のキャップが汚染されにくいことから、シャンプー、ヘアリンス、ボディソープ、ハンドソープ、化粧水、乳液、液状整髪料、ヘアトニック、ヘアトリートメント、ヘアカラー等の化粧品類を収容する容器として使用することが好ましいが、他にも、ハウスキーピング用洗剤や床用液状ワックス等、種々の液状内容物を収容する容器として利用可能であり、内容物の補充・詰替が容易なディスペンサー容器およびその詰替品容器として有用である。
【符号の説明】
【００２８】
１  …  …  ディスペンサー容器
２  …  …  肩カバー
３  …  …  ポンプ（ディスペンサー装置）
４  …  …  詰替品容器
５  …  …  容器本体
６  …  …  凸部
２１  …  …  注入口
２２  …  …  通気孔
２３  …  …  蓋部
２４  …  …  係止凹部
３１  …  …  押圧ヘッド
３２  …  …  ノズル
４１  …  …  注出口
４２  …  …  突起部
２１１  …  …  周縁部
２１２  …  …  切り欠き部
２１３  …  …  溝部
２２１  …  …  フレーム
２３１  …  …  ヒンジ部
２３２  …  …  係止爪
【図１】
2012106749.tif 000003
【図２】
2012106749.tif 000004
【図３】
2012106749.tif 000005
【図４】
2012106749.tif 000006
【図５】
2012106749.tif 000007
【図６】
2012106749.tif 000008